(57)【要約】【課題】建物の内外観及び面ガラスを通しての透視性を特に損なうことなく、面ガラスを活用して、枠体の変形を防止できるようにする。【解決手段】建物に設けられた枠体４の内側に、その内側を覆う多角形の面ガラスＢを固定してある面ガラス固定構造であって、面ガラスにおける複数の側辺１２，１３に沿う端面８と枠体との間に、面ガラス及び枠体よりも軟質で、かつ、枠体と面ガラスとに亘って外力を伝達可能なスペーサー９を装着して、面ガラスの端面を全周に亘って枠体から離間させてあるとともに、スペーサーを介して枠体から面ガラスに圧縮力を伝達可能に、面ガラスを枠体に固定してあり、スペーサーの少なくとも一部を、面ガラスにおけるコーナー部Ｃを挟む両端面と枠体との間に、コーナー部から所定の長さ範囲に亘って装着してある。【選択図】図１
2007198011.tif 000002
【特許請求の範囲】
【請求項１】
建物に設けられた枠体の内側に、その内側を覆う多角形の面ガラスを固定してある面ガラス固定構造であって、
前記面ガラスにおける複数の側辺に沿う端面と前記枠体との間に、前記面ガラス及び前記枠体よりも軟質で、かつ、前記枠体と前記面ガラスとに亘って外力を伝達可能なスペーサーを装着して、前記面ガラスの端面を全周に亘って前記枠体から離間させてあるとともに、前記スペーサーを介して前記枠体から前記面ガラスに圧縮力を伝達可能に、前記面ガラスを前記枠体に固定してあり、
前記スペーサーの少なくとも一部を、前記面ガラスにおけるコーナー部を挟む両端面と前記枠体との間に、前記コーナー部から所定の長さ範囲に亘って装着してある面ガラス固定構造。
【請求項２】
建物に固定自在な枠体を設け、前記枠体の内側に、その内側を覆う多角形の面ガラスを固定してある壁パネルであって、
前記面ガラスにおける複数の側辺に沿う端面と前記枠体との間に、前記面ガラス及び前記枠体よりも軟質で、かつ、前記枠体と前記面ガラスとに亘って外力を伝達可能なスペーサーを装着して、前記面ガラスの端面を全周に亘って前記枠体から離間させてあるとともに、前記スペーサーを介して前記枠体から前記面ガラスに圧縮力を伝達可能に、前記面ガラスを前記枠体に固定してあり、
前記スペーサーの少なくとも一部を、前記面ガラスにおけるコーナー部を挟む両端面と前記枠体との間に、前記コーナー部から所定の長さ範囲に亘って装着してある壁パネル。
【発明の詳細な説明】
【技術分野】
【０００１】
本発明は、建物に設けられた枠体の内側に、その内側を覆う多角形の面ガラスを固定してある面ガラス固定構造と壁パネルに関する。
【背景技術】
【０００２】
上記面ガラス固定構造では、従来、ガラス面に沿う方向の外力が面ガラスに作用すると、その面ガラスの一部に応力が集中し易く、応力集中箇所に発生したクラックなどに起因して破損し易い点を考慮して、面ガラスを建築構造に形成される枠体の内側に剛連結することは行われておらず、枠体に水平外力が作用しても、面ガラスには外力が極力作用しないように、弾性緩衝材などを介して枠体の内側に固定している（慣用技術であり、先行技術文献情報を開示できない）。
また、特に軸組又は枠組構造の建築物においては、枠体の風や地震などによる水平力による変形、例えば、四角形の枠体の一方の対角線に沿って互いに対向する二つのコーナー部における枠体構成部材同士の交差角が拡がり、他方の対角線に沿って互いに対向する二つのコーナー部における枠体構成部材同士の交差角が狭まるような変形を効果的に防止できるように、金属製のブレース（筋かい）を設けることが一般に行われている。
【発明の開示】
【発明が解決しようとする課題】
【０００３】
このため、枠体の変形を防止するために、面ガラスをガラス面に沿って横断するようなブレースを設けると、面ガラスを通した視界がブレースで遮られて、建物の内外観及び面ガラスを通しての透視性を損なう欠点があり、また、引っ張り強度が強い大型のブレースを設けるほど、前記欠点が大きくなる。
本発明は上記実情に鑑みてなされたものであって、建物の内外観及び面ガラスを通しての透視性を特に損なうことなく、面ガラスを活用して、枠体の変形を防止できるようにすることを目的とする。
【課題を解決するための手段】
【０００４】
本発明の第１特徴構成は、建物に設けられた枠体の内側に、その内側を覆う多角形の面ガラスを固定してある面ガラス固定構造であって、前記面ガラスにおける複数の側辺に沿う端面と前記枠体との間に、前記面ガラス及び前記枠体よりも軟質で、かつ、前記枠体と前記面ガラスとに亘って外力を伝達可能なスペーサーを装着して、前記面ガラスの端面を全周に亘って前記枠体から離間させてあるとともに、前記スペーサーを介して前記枠体から前記面ガラスに圧縮力を伝達可能に、前記面ガラスを前記枠体に固定してあり、前記スペーサーの少なくとも一部を、前記面ガラスにおけるコーナー部を挟む両端面と前記枠体との間に、前記コーナー部から所定の長さ範囲に亘って装着してある点にある。
【０００５】
〔作用及び効果〕
面ガラスにおける複数の側辺に沿う端面と枠体との間に、面ガラス及び枠体よりも軟質で、かつ、枠体と面ガラスとに亘って外力を伝達可能なスペーサーを装着して、面ガラスの端面を全周に亘って枠体から離間させてあるとともに、スペーサーを介して枠体から面ガラスに圧縮力を伝達可能に、面ガラスを前記枠体に固定してあるので、枠体の変形に伴って、枠体から、スペーサーを介して、応力集中を防止しながら面ガラスに圧縮力を積極的に作用させることができ、もって、面ガラスの耐圧縮強度に基づいて枠体の変形を抑制し、枠体を補強する強度部材として面ガラスを活用できる。
また、枠体が変形するに伴って、面ガラスにおけるコーナー部が枠体に接当すると、枠体からの圧縮力がそのコーナー部に集中的に作用して、そのコーナー部を起点とする割れが面ガラスに発生し易い問題があるが、スペーサーの少なくとも一部を、面ガラスにおけるコーナー部を挟む両端面と枠体との間に、コーナー部から所定の長さ範囲に亘って装着してあるので、枠体が変形しても、そのスペーサーを装着してある両端面で挟まれたコーナー部が枠体に接当するような事態を防止することができ、コーナー部を起点とする面ガラスの割れが発生し難い。
従って、建物の内外観及び面ガラスを通しての透視性を特に損なうことなく、面ガラスを活用して、枠体の変形を防止できる。
【０００６】
本発明の第２特徴構成は、建物に固定自在な枠体を設け、前記枠体の内側に、その内側を覆う多角形の面ガラスを固定してある壁パネルであって、前記面ガラスにおける複数の側辺に沿う端面と前記枠体との間に、前記面ガラス及び前記枠体よりも軟質で、かつ、前記枠体と前記面ガラスとに亘って外力を伝達可能なスペーサーを装着して、前記面ガラスの端面を全周に亘って前記枠体から離間させてあるとともに、前記スペーサーを介して前記枠体から前記面ガラスに圧縮力を伝達可能に、前記面ガラスを前記枠体に固定してあり、前記スペーサーの少なくとも一部を、前記面ガラスにおけるコーナー部を挟む両端面と前記枠体との間に、前記コーナー部から所定の長さ範囲に亘って装着してある点にある。
【０００７】
〔作用及び効果〕
面ガラスにおける複数の側辺に沿う端面と枠体との間に、面ガラス及び枠体よりも軟質で、かつ、枠体と面ガラスとに亘って外力を伝達可能なスペーサーを装着して、面ガラスの端面を全周に亘って枠体から離間させてあるとともに、スペーサーを介して枠体から面ガラスに圧縮力を伝達可能に、面ガラスを前記枠体に固定してあるので、枠体の変形に伴って、枠体から、スペーサーを介して、応力集中を防止しながら面ガラスに圧縮力を積極的に作用させることができ、もって、面ガラスの耐圧縮強度に基づいて枠体の変形を抑制し、枠体を補強する強度部材として面ガラスを活用できる。
また、枠体が変形するに伴って、面ガラスにおけるコーナー部が枠体に接当すると、枠体からの圧縮力がそのコーナー部に集中的に作用して、そのコーナー部を起点とする割れが面ガラスに発生し易い問題があるが、スペーサーの少なくとも一部を、面ガラスにおけるコーナー部を挟む両端面と枠体との間に、コーナー部から所定の長さ範囲に亘って装着してあるので、枠体が変形しても、そのスペーサーを装着してある両端面で挟まれたコーナー部が枠体に接当するような事態を防止することができ、コーナー部を起点とする面ガラスの割れが発生し難い。
従って、建物に組み付けても、建物の内外観や面ガラスの透視性を特に損なうことなく、面ガラスを活用して、枠体の変形を防止できる。
【発明を実施するための最良の形態】
【０００８】
以下に本発明の実施の形態を図面に基づいて説明する。
〔第１実施形態〕
図１，図２は、枠体４の内側に、その内側を覆う多角形の面ガラスＢを固定してある本発明による面ガラス固定構造を示し、上下の床材１を各別に支持している梁などの水平方向部材２と、その水平方向部材２を支持している柱などの鉛直方向部材３とを建築物の外壁部に設けて、上下の水平方向部材２と左右の鉛直方向部材３とで矩形に形成された軸組又は枠組又はラーメン構造の躯体Ａを設け、その躯体Ａの内側に、厚板ガラス又は強化ガラスからなる矩形の面ガラスＢを固定してある矩形の壁パネルＰを組み付けてある。
【０００９】
前記壁パネルＰは、その枠体４の内周側に凹溝５を一連の環状に形成して、その凹溝５に面ガラスＢの周縁部を全周に亘って嵌め込んで構成してある。
【００１０】
前記凹溝５は、外周形状も内周形状も矩形の枠本体部４ａの両側面に、外周形状も内周形状も矩形の溝形成枠４ｂをビス６で着脱自在に固定して、両溝形成枠４ｂの間に略一定深さで形成してあり、枠本体部４ａを、固定用金具７を介して、左右の鉛直方向部材３に一体にビス止め固定して、面ガラスＢにおける上下の横側辺１２を水平方向部材２に沿わせるとともに、面ガラスＢにおける左右の縦側辺１３を鉛直方向部材３に沿わせて固定してある。
【００１１】
そして、面ガラスＢの上下の横側辺１２と左右の縦側辺１３との四つの側辺１２，１３に沿う各端面８と、枠体４との間に、面ガラスＢ及び枠体４よりも軟質で、かつ、枠体４と面ガラスＢとに亘って外力（圧縮力）を伝達可能な四角柱状のスペーサー９を、枠体４と面ガラスＢとに亘って引っ張り力が作用しないように、非接着状態で装着して、面ガラスＢの端面を全周に亘って枠体４から離間させてあるとともに、スペーサー９を介して枠体４から面ガラスＢに圧縮力を伝達可能に、面ガラスＢを枠体４に固定してある。
【００１２】
前記スペーサー９は、面ガラスＢにおける各コーナー部Ｃを挟む両端面８と枠体４との間の各々に、コーナー部Ｃからの距離がＭの所定の長さ範囲に亘ってＬ字状に、かつ、各側辺１２，１３に沿って間隔を隔てて面ガラスＢに対して非接着状態で装着してある。
【００１３】
また、面ガラスＢにおける各側辺１２，１３に沿って対向するスペーサー９どうしの間、及び、面ガラスＢの周側面と枠体４との間には、枠体４から面ガラスＢへの外力の伝達を防止するために、ヤング率（Ｅ）が1000Ｎ／ｍｍ2未満の軟質材料で形成してある弾性緩衝材１４を装着してある。
【００１４】
前記スペーサー９は、具体的には、ポリアセタール樹脂やアクリル樹脂，ナイロン６６，アルミ合金などのヤング率（Ｅ）が1000〜70000Ｎ／ｍｍ2の硬質材料で形成してあり、面ガラスＢの端面８に沿う横幅Ｅをその端面８よりも幅広に形成して、面ガラスＢの端面８をその全幅に亘ってスペーサー９に接触させてある。
【００１５】
前記枠体４は、非金属材料、例えば集成材やベイマツ，杉材などの木質材料で構成してある木製枠体が好ましいが、ステンレス鋼などの鋼材（金属材料の一例）で構成してある金属製枠体であっても良い。
【００１６】
〔第２実施形態〕
図３，図４は、本発明による面ガラス固定構造の別実施形態を示し、枠体４をステンレス鋼などの鋼材（金属材料の一例）で構成して、この枠体４の内周側に面ガラスＢの端縁が入り込む凹溝５を一連の四角形の環状に形成するとともに、その左右外周部に固定用のリブ１０を一体に形成して、左右の鉛直方向部材３に一体にボルト１１で固定してある。
その他の構成は第１実施形態と同様である。
【００１７】
〔第３実施形態〕
図５，図６は、本発明による面ガラス固定構造の別実施形態を示し、枠体４をステンレス鋼などの鋼材（金属材料の一例）で構成し、枠体４のうちの凹溝５の一方の溝側面を一連に形成している溝形成枠（押縁）１５を、枠本体部１６に対してビス１７で着脱自在に固定してある。
【００１８】
尚、枠本体部１６を木質材料で構成して、溝形成枠１５を金属材料で構成してあっても、枠本体部１６を金属材料で構成して、溝形成枠１５を金属材料で構成してあっても良い。
その他の構成は第２実施形態と同様である。
【００１９】
〔その他の実施形態〕
１．本発明による面ガラス固定構造は、角数が３以上の多角形に組まれた枠体の内側に、面ガラスを固定してあっても良い。
２．本発明による面ガラス固定構造は、枠体の内側に、その内側を覆う角数が３以上の多角形の面ガラスを固定してあっても良い。
３．本発明による面ガラス固定構造は、枠体の形状とは異なる任意の多角形の面ガラスを固定してあっても良い。
４．本発明による面ガラス固定構造は、建物の外壁部以外に、建物内部に設けてある枠体の内側に、その内側を覆う多角形の面ガラスを固定してあっても良い。
５．本発明による面ガラス固定構造は、面ガラスにおける側辺に沿う端面毎に装着するスペーサーを複数に分割して、それらの分割スペーサーの端面どうしを突き合わせて装着してあっても良い。
６．本発明による面ガラス固定構造は、枠体の内側に、その内側を覆う多角形の複数枚の面ガラスを板厚方向に重なるように固定してあっても良い。
７．本発明による面ガラス固定構造は、建築物を構成している金属製の柱・梁を枠体に兼用して、その枠体と、面ガラスにおける各側辺に沿う端面との間にスペーサーを装着してあっても良い。
８．本発明による面ガラス固定構造は、枠体構成部材どうしが枠体コーナー部において相対回転不能に剛連結されているラーメン構造の枠体の内側に、その内側を覆う多角形の面ガラスを固定してあっても良い。
９．本発明による面ガラス固定構造は、枠体構成部材どうしが枠体コーナー部において相対回転可能に連結されている軸組構造の枠体の内側に、その内側を覆う多角形の面ガラスを固定してあっても良い。
１０．本発明による面ガラス固定構造は、コーナー部を挟む端面毎に各別のスペーサーをコーナー部から所定の長さ範囲に亘って装着してあっても、コーナー部を挟む両端面に亘って一連のスペーサーをコーナー部から所定の長さ範囲に亘って装着してあっても良い。
１１．本発明による面ガラス固定構造は、型板ガラス，通常のフロートガラス，強化ガラス，合わせガラス，複層ガラスなどのいずれの面ガラスを固定するものであっても良く、その品種や構成は限定されない。また、前記の面ガラスは、鏡であっても良い。
【図面の簡単な説明】
【００２０】
【図１】面ガラス固定構造の一部切欠き側面図
【図２】図１のII−II線断面図
【図３】第２実施形態の面ガラス固定構造を示す一部切欠き側面図
【図４】図３のIV−IV線断面図
【図５】第３実施形態の面ガラス固定構造を示す一部切欠き側面図
【図６】図５のVI−VI線断面図
【符号の説明】
【００２１】
４  枠体
８  端面
９  スペーサー
１２  側辺
１３  側辺
Ｂ  面ガラス
Ｃ  コーナー部
【図１】
2007198011.tif 000003
【図２】
2007198011.tif 000004
【図３】
2007198011.tif 000005
【図４】
2007198011.tif 000006
【図５】
2007198011.tif 000007
【図６】
2007198011.tif 000008